(57)【要約】      （修正有）【課題】身体動作の際に、ネックストラップに吊持された携帯用品類が、簡単かつ容易に、身体に対して安定に保持され、携帯用品類によって、自身の動作を妨げられず、また、不測の事態を回避できるようにした携帯用品類の吊り下げ具を提供する。【解決手段】ループ状態で首に掛けるストラップ１の少なくとも端末に、携帯用品類の吊り下げ部２を有する吊り下げ具において、ストラップ１には、ストラップ１の長手方向に沿って摺動自在とされた振れ止め具４が装備してあり、振れ止め具４は、弾性材により一体に形成され、ストラップ１を挿通する通し孔４ｃを有する筒状の摺動部４ａの一側に板片状の係合部４ｂが一体に突設された形状であり、係合部４ｂに形成した係合孔４ｄを衣服の前立てにある釦に着脱自在に係合する。【選択図】図１
0003105377.tif 000002
【実用新案登録請求の範囲】
【請求項１】
ループ状態で首に掛けるストラップの少なくとも端末に、携帯用品類の吊り下げ部を有する吊り下げ具において、
前記ストラップの長手方向に沿って移動自在とされた振れ止め具がストラップに装備してあり、前記振れ止め具には、衣服の釦に着脱自在に係合する係合部が形成されていることを特徴とする携帯用品類の吊り下げ具。
【請求項２】
ループ状態で首に掛けるストラップの少なくとも端末に、携帯用品類の吊り下げ部を有する吊り下げ具において、
前記ストラップには、ストラップの長手方向に沿って摺動自在とされた振れ止め具が装備してあり、前記振れ止め具は、弾性材により一体に形成され、ストラップを挿通する通し孔を有する筒状の摺動部の一側に板片状の係合部が一体に突設された形状であり、前記係合部には、係合孔が形成されていることを特徴とする携帯用品類の吊り下げ具。
【請求項３】
前記摺動部は、その前記通し孔に挿通される帯状ストラップの重なり部分の外周に略弾性的に接合保持されるように、その通し孔が、帯状ストラップの重なり部分の外周に略沿った断面略長孔形状とされていることを特徴とする請求項２に記載の携帯用品類の吊り下げ具。
【請求項４】
前記係合部には、スリット状であって弾性的に変形可能な係合孔が形成されていることを特徴とする請求項１乃至３の何れか１項に記載の携帯用品類の吊り下げ具。
【請求項５】
前記係合孔の両端には、大径の円形孔部が形成されていることを特徴とする請求項４に記載の携帯用品類の吊り下げ具。
【考案の詳細な説明】
【技術分野】
【０００１】
本発明は、主として、ＩＤカードや携帯電話機などの携帯用品類を首から吊持するための携帯用品類の吊り下げ具に関するものである。
【背景技術】
【０００２】
従来から、携帯電話機などの携帯用品類をポケットに入れて持ち歩く場合、胸やズボンのポケットから離脱して損傷したり、これを携帯する際の膨らみによる窮屈さの問題があった。また、ＩＤカードを胸ポケットや襟にクリップ止めして携帯する場合、身体や手の動きで外れ落ち、また、その軽さの故に、気付かないため、紛失する恐れがあった。
【０００３】
そこで、ＩＤカードや携帯電話機などの携帯用品類を、首から吊り下げた帯状のネックストラップに装着して携帯する携帯用品類の吊り下げ具が多用されるようになった（例えば、下記特許文献１、２参照）。
【０００４】
ここで問題となるのは、この種ネックストラップによる携帯用品類の吊り下げ具は、首を支点として吊り下げされているので、歩行時、その他の身体動作の際に、その携帯用品の自重により、それが左右、前後に振られ、自身の動作を妨げたり、人や物に接触し、機器の破損、けがなどの不測の事態を招く恐れがあることである。特に、携帯用品類が、その吊り下げ具の長さの故に、身体から離れた際、電車などのドアに挟まれて、障害事故を招く恐れもある。
【特許文献１】特開２００２−１９９０７４号公報
【特許文献２】特開２００２−２９１５１３号公報
【考案の開示】
【考案が解決しようとする課題】
【０００５】
本考案は、上記のような事情に基づいてなされたもので、その目的とするところは、身体動作の際に、ネックストラップに吊持された携帯用品類が、簡単かつ容易に、身体に対して安定に保持され、携帯用品類によって、自身の動作を妨げられず、また、不測の事態を回避できるように工夫した携帯用品類の吊り下げ具を提供することにある。
【課題を解決するための手段】
【０００６】
このため、請求項１の考案に係る携帯用品類の吊り下げ具は、図示の実施例に明示しているように、ループ状態で首に掛けるストラップ１の少なくとも端末に、携帯用品類の吊り下げ部２を有する吊り下げ具において、ストラップ１の長手方向に沿って移動自在とされた振れ止め具４がストラップ１に装備してあり、振れ止め具４には、衣服の釦に着脱自在に係合する係合部４ｂが形成されていることを特徴とする。
【０００７】
また、請求項２の考案に係る携帯用品類の吊り下げ具は、ループ状態で首に掛けるストラップ１の少なくとも端末に、携帯用品類の吊り下げ部２を有する吊り下げ具において、ストラップ１には、ストラップ１の長手方向に沿って摺動自在とされた振れ止め具４が装備してあり、振れ止め具４は、弾性材により一体に形成され、ストラップ１を挿通する通し孔４ｃを有する筒状の摺動部４ａの一側に板片状の係合部４ｂが一体に突設された形状であり、係合部４ｂには、係合孔４ｄが形成されていることを特徴とする。
【０００８】
請求項３の考案では、摺動部４ａは、その通し孔４ｃに挿通される帯状ストラップ１の重なり部分１ａ，１ｂの外周に略弾性的に接合保持されるように、その通し孔４ｃが、帯状ストラップの重なり部分１ａ，１ｂの外周に略沿った断面略長孔形状とされていることを特徴とする。
このような構成とすることにより、摺動部４ａの通し孔４ｃと挿通される帯状ストラップ１の重なり部分の外周とが、比較的広い面積で安定して弾性的に接合し、振れ止め具４をストラップ１の任意の位置に容易に摺動移動させて、安定した状態で保持させることができる。
【０００９】
請求項４の考案では、係合部４ｂには、スリット状であって弾性的に変形可能な係合孔４ｄが形成されていることを特徴とする。
このような構成とすることにより、釦への係合操作が容易となる。
【００１０】
請求項５の考案では、前記スリット状係合孔４ｄの両端には、大径の円形孔部４ｅが形成されていることを特徴とする。
このような構成とすることにより、スリット状係合孔４ｄを開いてする釦Ｂへの係合操作が容易となるばかりでなく、スリット状係合孔４ｄの両端が裂けるという不具合を有効に回避できる。
【考案の効果】
【００１１】
本考案の携帯用品類の吊り下げ具は、単純かつ簡単な構成の振れ止め具４を備えることにより、ストラップ１の、携帯用品類Ｇの近傍で、そのストラップ１を、衣服の前立てＡにある任意の位置の釦Ｂに着脱自在に係止できるため、身体動作を妨げることなく、また、携帯用品類Ｇが身体の所要位置に保持され、ストラップ１が前後、左右にふらつかないので、不測の事態を回避できるという実用上の効果を期待することができる。
【００１２】
請求項２のように、振れ止め具４を、弾性材により一体に形成するとともに、ストラップ１を挿通する通し孔４ｃを有する筒状の摺動部４ａの一側に板片状の係合部４ｂを一体に突設させた形状とし、この弾性係合部４ｂに係合孔４ｄを形成させることにより、振れ止め係合すべき釦Ｂの位置に合わせて、ストラップ１の長手方向に沿って振れ止め具４を容易に摺動させて移動させることができる。また、振れ止め具４のストラップ１への挿入装着も容易であり、且つ、振れ止め具４がストラップ１から分離することもない。
【００１３】
また、請求項３の構成では、上記のように、振れ止め具４をストラップ１の任意の位置に容易に摺動移動させて、安定した状態で保持させることができる。
【００１４】
またさらに、請求項４又は５の構成では、上記のように、釦Ｂへの係合操作が容易となり、スリット状の係合孔４ｄが裂けるという不具合もない。
【考案を実施するための最良の形態】
【００１５】
以下、本考案を実施するための実施の形態を、図面を参照しながら、具体的に説明する。図１に示している本考案の実施の形態では、携帯用品類の吊り下げ具が、ループ状態で首に掛ける帯状のネックストラップ１（天然繊維あるいは合成繊維を平織りしたもの）の端末に、吊り下げ部２を設けた構成である。吊り下げ部２は、この実施の形態では、コイル巻きした金属製の取付け環２１、金属製の吊り下げクリップ２２および松葉と称される吊り下げストラップ２３、及び、これらの部品をストラップ１に係脱自在に保持するための保持体２４とにより構成される。なお、吊り下げ部２を構成する上記各部品は、ゴム質の環体３を、ストラップ１端末のループ部分に通すことで、ストラップ１に対する取付け位置のずれが防止されている。吊り下げ部２は、ストラップ１の端末のみならず、ストラップ１の中途部分に形成させるようにしてもさしつかえない。
【００１６】
ストラップ１には、ストラップ１の長手方向に沿って摺動自在とされた振れ止め具４が装備してある。振れ止め具４は、ゴム若しくはプラスチックの弾性材により一体に形成され、ストラップ１を挿通する通し孔４ｃを有する筒状の摺動部４ａの一側に板片状の係合部４ｂが一体に突設されている。係合部４ｂには、スリット状係合孔４ｄが形成され、図２に示すように、衣服の前立てＡにある釦Ｂに着脱自在に係合するようになっている。
【００１７】
振れ止め具４の摺動部４ａは、全体として、略角筒形状とされ、その通し孔４ｃに挿通される帯状ストラップ１の重なり部分１ａ，１ｂの外周に略弾性的に接合保持されるように、その通し孔４ｃが、帯状ストラップの重なり部分１ａ，１ｂの外周に略沿った略断面長孔形状とされている。
【００１８】
係合部４ｂには、スリット状であって弾性的に変形可能な係合孔４ｄが形成されている。また、このスリット状係合孔４ｄの両端には、大径の円形孔部４ｅが形成されている。
【００１９】
また、この実施例では、ストラップ１に、振れ止め具４より上の位置で、ストラップ１の左右の帯状部分１ａ、１ｂをそれぞれ挿通するスリット５ａを備えると共に弾性力でストラップ１に弾持される弾性環５を装備している。なお、弾性環５は、この実施例で採用するように、天然あるいは合成のゴムで構成されているのがよい。
【００２０】
このような構成では、ストラップ１を首に掛け、衣服の前立てＡにある釦Ｂに振れ止め具４の係合孔４ｄを嵌めた状態で、吊り下げ具２の位置（即ち、携帯用品Ｇの位置）が身体の所要に位置に来るように、ストラップ１に対して、振れ止め具４を移動する。この状態で、弾性環５をストラップ１に対してスライドすることで、上下に移動して、首から振れ止め具４までのストラップ１の部分１ａ、１ｂの弛みを除くことができる。
【００２１】
従って、着用者は、その身体の動作に際して、携帯用品が、ストラップ１によって首から吊り下げられているにも拘わらず、身体の所要の個所に保持される結果、その動作の妨げになることがなく、また、機器の破損、器物へのぶつかり、その他、ストラップの遊びによる電車ドアへの挟み込みなど不測の事態を回避することができる。
【図面の簡単な説明】
【００２２】
【図１】本考案に係る携帯用品類の吊り下げ具の実施の形態を示す全体斜視図である。
【図２】同じく、使用態様を示す要部の拡大斜視図である。
【符号の説明】
【００２３】
１    ストラップ、１ａ、１ｂ    部分
２    吊り下げ具
３    環体
４    振れ止め具、４ａ  摺動部、４ｂ  係合部、４ｃ  通し孔、４ｄ  係合孔、
４ｅ  円形孔部
５    弾性環、５ａ    スリット
２１    取付け環
２２    吊り下げクリップ
２３    吊り下げストラップ
２４    保持体
Ａ    前立て
Ｂ    釦
Ｇ    携帯用品類
【図１】
0003105377.tif 000003
【図２】
0003105377.tif 000004